(57)【要約】【課題】ＭＩＣＲ情報の読み取りに成功したか否かを、確実に、かつ、容易に判別することができる記録装置を提供すること。【解決手段】第２駆動ローラー２３Ａと第３駆動ローラー１２４Ａとの間に配置され、シート型の記録媒体Ｓに記録されたＭＩＣＲ情報を読み取るＭＩＣＲ磁気ヘッド６５とを備え、シート搬送機構１００は、少なくとも２つの異なる方向に記録媒体Ｓを排出可能であり、ＭＩＣＲ磁気ヘッド６５によるＭＩＣＲ情報の読み取りに成功した場合には、ＭＩＣＲ情報の読み取りに失敗した場合と異なる排出口からシート型の記録媒体Ｓを排出する。【選択図】図３
2010198416.tif 000002
【特許請求の範囲】
【請求項１】
磁気記録部を有する冊子型の記録媒体と、ＭＩＣＲ情報が記録されたシート型の記録媒体とを搬送可能に構成され、前記冊子型の記録媒体及び前記シート型の記録媒体に画像を記録する記録装置において、
前記冊子型の記録媒体及び前記シート型の記録媒体の搬送方向に並ぶ複数列の搬送ローラーを有する搬送機構と、前記冊子型の記録媒体の磁気記録部の読み取りを行う第１の磁気ヘッドと、前記複数列の搬送ローラーの間に配置され、前記シート型の記録媒体に記録されたＭＩＣＲ情報を読み取る第２の磁気ヘッドとを備え、前記搬送機構は、少なくとも２つの異なる方向に前記記録媒体を排出可能であり、前記第２の磁気ヘッドによるＭＩＣＲ情報の読み取りに成功した場合には、ＭＩＣＲ情報の読み取りに失敗した場合と異なる排出方向に、前記シート型の記録媒体を排出することを特徴とする記録装置。
【請求項２】
前記搬送機構は、前記第２の磁気ヘッドによるＭＩＣＲ情報の読み取りに成功した場合には、前記第２の磁気ヘッドから近い側の排出口から前記シート型の記録媒体を排出することを特徴とする請求項１に記載の記録装置。
【請求項３】
前記第２の磁気ヘッドによるＭＩＣＲ情報の読み取りに成功した場合には、ＭＩＣＲ情報の読み取りに失敗した場合及び前記冊子型の記録媒体を排出する場合とは異なる排出方向に、前記シート型の記録媒体を排出することを特徴とする請求項１または２に記載の記録装置。
【請求項４】
前記冊子型の記録媒体が有する磁気記録部が搬送される領域から外れた位置に、前記ＭＩＣＲ情報を構成する磁気インク文字に着磁する着磁部を設けたことを特徴とする請求項１乃至３のいずれかに記載の記録装置。
【発明の詳細な説明】
【技術分野】
【０００１】
本発明は、シート型の記録媒体に記録されたＭＩＣＲ情報を読み取る磁気ヘッドを備える記録装置に関する。
【背景技術】
【０００２】
一般に、磁気記録部を有する冊子型の記録媒体（例えば、通帳等）と、磁気インク文字情報（以下、ＭＩＣＲ情報という）が記録されたシート型の記録媒体（例えば、小切手（パーソナルチェック等）とを搬送可能に構成され、冊子型の記録媒体及びシート型の記録媒体にそれぞれ文字情報を記録する記録装置が知られている（例えば、特許文献１参照）。この種の記録装置では、シート型の記録媒体に記録されたＭＩＣＲ情報の読み取りを行う磁気ヘッドを備え、当該ＭＩＣＲ情報の読み取りを行う場合、シート型の記録媒体が記録装置の手差口から供給されると、この記録媒体は磁気ヘッドの位置まで搬送され、この磁気ヘッドによるＭＩＣＲ情報の読み取りが実行され、この読み取り後の記録媒体が排出口から排出される。この場合、磁気ヘッドによるＭＩＣＲ情報の読み取りが成功したか否かの結果は、記録装置に接続されたホストコンピューターのディスプレイに出力され、この結果をユーザーが目視によって確認していた。
【先行技術文献】
【特許文献】
【０００３】
【特許文献１】特開２００２−２８８５９１号公報
【発明の概要】
【発明が解決しようとする課題】
【０００４】
このため、従来の構成では、ＭＩＣＲ情報の読み取りが成功したか否かについて、ユーザーが１つ１つ確認することを要し、ユーザーの負担が大きくなるといった問題があった。更に、ＭＩＣＲ情報の読み取りが成功したか失敗したかにかかわらず、読み取り後の記録媒体は単一の排出口から排出されていたため、複数の記録媒体の読み取りを行う場合には、ユーザーが表示結果を見誤ることもあり、ＭＩＣＲ情報の読み取りに成功した記録媒体と失敗した記録媒体とを確実に判別できないことが想定された。
【０００５】
そこで、本発明の目的は、上述した従来の技術が有する課題を解消し、ＭＩＣＲ情報の読み取りに成功したか否かを、確実に、かつ、容易に判別することができる記録装置を提供することにある。
【課題を解決するための手段】
【０００６】
上記目的を達成するために、本発明は、磁気記録部を有する冊子型の記録媒体と、ＭＩＣＲ情報が記録されたシート型の記録媒体とを搬送可能に構成され、前記冊子型の記録媒体及び前記シート型の記録媒体に記録する記録装置において、前記冊子型の記録媒体及び前記シート型の記録媒体の搬送方向に並ぶ複数列の搬送ローラーを有する搬送機構と、前記冊子型の記録媒体の磁気記録部の読み取りを行う第１の磁気ヘッドと、前記複数列の搬送ローラーの間に配置され、前記シート型の記録媒体に記録されたＭＩＣＲ情報を読み取る第２の磁気ヘッドとを備え、前記搬送機構は、少なくとも２つの異なる方向に前記記録媒体を排出可能であり、前記第２の磁気ヘッドによるＭＩＣＲ情報の読み取りに成功した場合には、ＭＩＣＲ情報の読み取りに失敗した場合と異なる排出方向に、前記シート型の記録媒体を排出することを特徴とする。
【０００７】
この構成によれば、第２の磁気ヘッドによるＭＩＣＲ情報の読み取りに成功した場合には、ＭＩＣＲ情報の読み取りに失敗した場合と異なる排出方向にシート型の記録媒体を排出するため、一方の排出口から排出された記録媒体は、いずれも第２の磁気ヘッドでの読み取りに成功したものであり、この排出口から排出されたものを集めるだけでＭＩＣＲ情報の読み取りに成功したか否かを確実に、かつ、容易に判別することができる。
【０００８】
また、この構成において、前記搬送機構は、前記第２の磁気ヘッドによるＭＩＣＲ情報の読み取りに成功した場合には、前記第２の磁気ヘッドから近い側の排出口から前記シート型の記録媒体を排出する構成としても良い。
この構成によれば、第２の磁気ヘッドによるＭＩＣＲ情報の読み取りに成功した場合には、第２の磁気ヘッドから近い側の排出口からシート型の記録媒体を排出するため、読み取り成功時の搬送距離及び搬送時間の短縮を図ることができ、単位時間当たりの処理能力の向上を図ることができる。
【０００９】
また、この構成において、前記第２の磁気ヘッドによるＭＩＣＲ情報の読み取りに成功した場合には、ＭＩＣＲ情報の読み取りに失敗した場合及び前記冊子型の記録媒体を排出する場合とは異なる排出方向に、前記シート型の記録媒体を排出する構成としても良い。
この構成によれば、第２磁気ヘッドによるＭＩＣＲ情報の読み取りに成功した場合には、ＭＩＣＲ情報の読み取りに失敗した場合及び冊子型の記録媒体を排出する場合とは異なる排出方向にシート型の記録媒体を排出するため、この排出方向にある排出口から排出されたものを集めるだけで、ＭＩＣＲ情報の読み取りに成功したか否かを確実に、かつ、容易に判別することができる。
【００１０】
また、この構成において、前記冊子型の記録媒体が有する磁気記録部が搬送される領域から外れた位置に、前記ＭＩＣＲ情報を構成する磁気インク文字に着磁する着磁部を設けた構成としても良い。
この構成によれば、着磁部を冊子型の記録媒体が有する磁気記録部が搬送される領域から外れた位置に設けたため、冊子型の記録媒体の磁気記録部が着磁部を通過することが防止される。これによれば、着磁部と磁気記録部との接触もしくは近接が防止され、この着磁部が磁気記録部の磁気情報を壊すことがなく、冊子型の記録媒体の磁気記録部に及ぼす影響をなくすので、冊子型の記録媒体が有する磁気記録部の読み取りエラーの発生を防止できる。
【発明の効果】
【００１１】
本発明によれば、第２の磁気ヘッドによるＭＩＣＲ情報の読み取りに成功した場合には、ＭＩＣＲ情報の読み取りに失敗した場合と異なる排出方向にシート型の記録媒体を排出するため、一方の排出口から排出された記録媒体は、いずれも第２の磁気ヘッドでの読み取りに成功したものであり、この排出口から排出されたものを集めるだけでＭＩＣＲ情報の読み取りに成功したか否かを確実に、かつ、容易に判別することができる。
【図面の簡単な説明】
【００１２】
【図１】本実施形態におけるドットインパクトプリンターの外観斜視図である。
【図２】プリンター本体を示す斜視図である。
【図３】プリンター本体の側断面図である。
【図４】ＭＩＣＲ磁気ヘッドの配置構成を示す斜視図である。
【図５】ドットインパクトプリンターの機能的構成を示すブロック図である。
【図６】ドットインパクトプリンターの動作を示すフローチャートである。
【発明を実施するための形態】
【００１３】
以下、本発明の実施形態について図面を参照して説明する。
図１は、本実施形態に係る記録装置としてのドットインパクトプリンターの外観を示す正面斜視図である。図２は、プリンター本体１１を示す外観斜視図である。図３は、図１のドットインパクトプリンター１０を示す側断面図である。
図１に示す記録装置としてのドットインパクトプリンター１０は、後述するホストコンピューターに接続され、このホストコンピューターから送信された印刷データを受信し、受信した印刷データに基づいて記録媒体に印刷（記録）を行う。具体的には、ドットインパクトプリンター１０は、記録ヘッド１８（図２、図３参照）が備える複数の記録ワイヤーを、リボンカートリッジ（図示略）から繰り出したインクリボン（図示略）を介してシート型の記録媒体Ｓ（以下、単に記録媒体Ｓという）または冊子型の記録媒体Ｔ（以下、単に、記録媒体Ｔという）に押し付け、これら記録媒体Ｓまたは記録媒体Ｔの記録面上にドットを形成することにより、文字を含む画像を印刷（記録）する。上記した印刷データは、印刷する文字や記号、画像等のデータや、印刷実行を指示する制御コマンド、印刷範囲や印刷位置を指定する制御コマンド、その他の制御情報等を含んでいてもよい。
【００１４】
ドットインパクトプリンター１０で使用可能な記録媒体としては、所定長さに切断されたカットシートと、複数枚が連接された連続紙とがある。カットシートとしては、例えば単票紙や単票複写紙などの普通紙の他、通帳や葉書、封筒などがあり、連続紙には連続複写紙を含む。
本実施形態では、記録媒体Ｓとして、金融機関等が発行する小切手（パーソナルチェック）と、記録媒体Ｔとして、金融機関等が発行する通帳とが使用される。
小切手は、磁気インクによって、その表面の一部の領域ＭＡに使用者の口座番号や当該小切手のシリアル番号等のＭＩＣＲ（Ｍａｇｎｅｔｉｃ  Ｉｎｋ  Ｃｈａｒａｃｔｅｒ  Ｒｅｃｏｇｎｉｔｉｏｎ）情報が印刷された単票紙である。
また、通帳は、複数枚の記録用紙が綴じられた冊子形態となっており、この冊子を開いた内側の面が記録面となっている。通帳の裏表紙に相当する面の後端側には、磁気ストライプ（磁気記録部）ＭＳが設けられている。
なお、以下の説明において、記録媒体Ｓまたは記録媒体Ｔの４辺のうち、ドットインパクトプリンター１０へ向かって差し込まれる側の辺を先端とし、この先端と対向する側の辺を後端とする。
【００１５】
ドットインパクトプリンター１０は、図１に示すように、外装体としての上部カバー１２、上部ケース１３及び下部ケース１４を備えており、上部ケース１３及び下部ケース１４の前面には、記録媒体Ｓを挿入あるいは排出する手差口１５が開口している。一方、上部カバー１２及び上部ケース１３の後面には、後方に突出して形成される排出部７が設けられ、この排出部７の上面には、手差口１５から挿入された記録媒体Ｓの一部が排出される排出口８が開口している。この排出口８は、図３に示すように、ドットインパクトプリンター１０内を記録媒体Ｓが搬送される搬送経路Ｐに連なっており、排出部７内には、紙ジャムが生じない程度の半径に形成されて、搬送経路Ｐと排出口８とを連通する連通路９が形成されている。この連通路９の排出口８側の壁面には、所定間隔で配置されたリブ８Ａが複数設けられている。
このように、本構成のドットインパクトプリンター１０では、手差口１５及び排出口８を備え、手差口１５から挿入した記録媒体Ｓを、少なくとも２つの異なる方向、すなわち、当該手差口１５または排出口８のいずれかから選択的に排出することができる。また、手差口１５が開口した側、すなわち図１中の左側をフロント（前）側とし、図１中の右側をリア（後）側とする。
【００１６】
ドットインパクトプリンター１０は、図２に示すように、上部カバー１２、上部ケース１３及び下部ケース１４に覆われるプリンター本体１１を有している。このプリンター本体１１は、下本体部１１Ａと、この下本体部１１Ａの後端部に軸１１Ｃで支持される上本体部１１Ｂとを備えている。上部カバー１２を開いたときに、上本体部１１Ｂを、軸１１Ｃを中心に回動させると、プリンター本体１１内部が露出することとなる。
【００１７】
プリンター本体１１は、図３及び図４に示すように、ベースフレーム１６、右サイドフレーム１７Ａ及び左サイドフレーム１７Ｂ（図４）を備えた本体フレームと、記録ヘッド１８及びキャリッジ１９を備えた記録機構部２０と、記録媒体Ｓを搬送するシート搬送機構（搬送機構）１００と、記録媒体Ｓを整列させる整列板２８と、通帳等の冊子型の記録媒体Ｓに設けられた磁気ストライプの磁気情報を読み取り又は書き込む磁気ヘッド（第１の磁気ヘッド）３４を備えた磁気データ読書部２９と、磁気情報の読み書き時に記録媒体Ｓの浮き上がりを上から押えるシート押え部３０と、を有している。
シート搬送機構１００は、プラテン２１、第１駆動ローラー２２Ａ、第１従動ローラー２２Ｂ、第２駆動ローラー２３Ａ、第２従動ローラー２３Ｂ、第３駆動ローラー１２４Ａ、第３従動ローラー１２４Ｂ、第４駆動ローラー１２５Ａ、第４従動ローラー１２５Ｂ、前方シート案内２４、後方シート案内２５、シート搬送モーター２６及び駆動輪列部２７を備えて構成されている。
【００１８】
ベースフレーム１６の略両端部には、右サイドフレーム１７Ａ及び左サイドフレーム１７Ｂが立設して固定される。上部本体１１Ｂの両サイドフレームの間には、キャリッジガイド軸３１が架け渡される。両サイドフレーム１７Ａ、１７Ｂ間に平坦面形状の前方シート案内２４及び後方シート案内２５が固定して設けられる。これらの前方シート案内２４と後方シート案内２５との間に、平面形状のプラテン２１が配置される。このプラテン２１の上方には、プラテン２１に対向するように記録ヘッド１８が配置されている。
【００１９】
キャリッジ１９は、キャリッジガイド軸３１に摺動自在に挿通され、当該キャリッジ１９を駆動するキャリッジ駆動モーター（図５参照）の正転又は逆転により、タイミングベルト（図示略）を介して駆動され、キャリッジガイド軸３１に案内されて往復移動される。キャリッジ１９の移動方向は、図２中符号Ｘで示す方向、すなわち、キャリッジガイド軸３１の軸方向及びプラテン２１の長手方向と一致する主走査方向である。また、キャリッジ１９の移動（走査）範囲は、一対のサイドフレーム１７Ａ、１７Ｂの間である。なお、キャリッジ１９の主走査方向Ｘに直交する方向、すなわち図２中符号Ｙで示す方向を、副走査方向とする。
キャリッジ１９に搭載される記録ヘッド１８は、印刷データに基づいて、キャリッジ１９と共に主走査方向に走行される間に、その先端面においてプラテン２１に対向するワイヤー突出部（図示略）から記録ワイヤーを突出させてインクリボンに打ち当てる。これにより、このインクリボンのインクが、プラテン２１と記録ヘッド１８との間に搬送される記録媒体Ｓまたは記録媒体Ｔに付着され、記録媒体Ｓまたは記録媒体Ｔの記録面に文字を含む画像が印刷される。このインクリボンは、上記の本体フレーム又はキャリッジ１９に装着されるリボンカートリッジ３９内に折り畳まれて収納され、キャリッジ１９の走査に伴って繰り出される。
【００２０】
プラテン２１は、キャリッジ１９の走行方向に延在して平面形状に形成され、その両端が、付勢ばね４１により記録ヘッド１８に向けて付勢されると共に、弾性支持されている。付勢ばね４１は圧縮コイルばねであり、この付勢ばね４１の付勢力により、記録ヘッド１８の記録動作時における記録ワイヤーの突出力が支持される。また、プラテン２１は、記録媒体Ｓまたは記録媒体Ｔの搬送中にこの記録媒体Ｓまたは記録媒体Ｔの厚さが変化した場合、又はプリンター本体１１に厚さの異なる記録媒体Ｓまたは記録媒体Ｔが搬入された場合に、付勢ばね４１の付勢力に抗して、記録ヘッド１８の先端により押圧されて記録ヘッド１８から離れる方向に移動する。これにより、記録媒体の厚さにかかわらず、記録ヘッド１８の先端と記録媒体Ｓまたは記録媒体Ｔの記録面との間のギャップが一定に確保される。
【００２１】
シート搬送機構１００は、図３に示すように、第１駆動ローラー２２Ａ、第１従動ローラー２２Ｂが、プラテン２１及び記録ヘッド１８に対してプリンター本体１１のフロント側に配置されて構成される。また、第２駆動ローラー２３Ａ、第２従動ローラー２３Ｂ、第３駆動ローラー１２４Ａ、第３従動ローラー１２４Ｂ、第４駆動ローラー１２５Ａ及び第４従動ローラー１２５Ｂが、プラテン２１及び記録ヘッド１８に対してプリンター本体１１のリア側に順次に配置されている。これら第１〜第４駆動ローラー２２Ａ〜１２５Ａと、第１〜第４従動ローラー２２Ｂ〜１２５Ｂとは、それぞれ上下方向に配置されて対をなしている。
第１駆動ローラー２２Ａ、第２駆動ローラー２３Ａ、第３駆動ローラー１２４Ａ及び第４駆動ローラー１２５Ａは、シート搬送モーター２６及び駆動輪列部２７によって回転駆動される駆動ローラーであり、第１従動ローラー２２Ｂ、第２従動ローラー２３Ｂ、第３従動ローラー１２４Ｂ及び第４従動ローラー１２５Ｂは、それぞれ第１駆動ローラー２２Ａ、第２駆動ローラー２３Ａ、第３駆動ローラー１２４Ａ及び第４駆動ローラー１２５Ａ側に所定の押圧力で、それぞればね４２Ａ、４２Ｂ、４２Ｃ、４２Ｄによりばね付勢されている従動ローラーである。これによって、第１〜第４駆動ローラー２２Ａ〜１２４Ａと、第１〜第４従動ローラー２２Ｂ〜１２４Ｂとが互いに反対方向に回転駆動され、これらローラー間に挟持された記録媒体Ｓまたは記録媒体Ｔが搬送される。
【００２２】
駆動輪列部２７は、図２に示すように、右サイドフレーム１７Ａの外側に配置される。この駆動輪列部２７は、正転又は逆転可能なシート搬送モーター２６の駆動軸に回転一体に固定されたモーターピニオン５１を備える。このモーターピニオン５１からの駆動力が、減速ギア５２を介して第２駆動ローラー２３Ａの第２ローラー軸３３に取り付けられた第２駆動ギア５３Ｂへ伝達され、更に、この第２駆動ギア５３Ｂから中間ギア５４を介して第１駆動ローラー２２Ａの第１ローラー軸３２に取り付けられた第１駆動ギア５３Ａに伝達される。また、第２駆動ローラー２３Ａの第２ローラー軸３３と第３駆動ローラー１２４Ａの第３ローラー軸１３４との間、この第３ローラー軸１３４と、第４駆動ローラー１２５Ａの第４ローラー軸１３５との間には、図４に示すように、それぞれ第１伝達ベルト１４０、第２伝達ベルト１４１が掛け回されており、これら伝達ベルト１４０、１４１を介して、第２駆動ローラー２３Ａの回転力が第３駆動ローラー１２４Ａ及び第４駆動ローラー１２５Ａに伝達される。
これにより、第１駆動ローラー２２Ａ、第２駆動ローラー２３Ａ、第３駆動ローラー１２４Ａ及び第４駆動ローラー１２５Ａが同一方向に回転して、記録媒体Ｓまたは記録媒体Ｔをプリンター本体１１内に搬送可能とする。つまり、第１駆動ローラー２２Ａ、第２駆動ローラー２３Ａ、第３駆動ローラー１２４Ａ及び第４駆動ローラー１２５Ａは、図３に示すように、シート搬送モーター２６が正転している場合、副走査方向に沿って、図中符号Ａで示すように、手差口１５からプリンター本体１１内へ、もしくは、排出部７の排出口８から記録媒体Ｓを排出する方向に当該記録媒体Ｓを搬送する。また、シート搬送モーター２６が逆転している場合、図中符号Ｂで示すように、手差口１５から記録媒体Ｓを排出する方向に当該記録媒体Ｓを搬送する。
【００２３】
整列板２８は、記録ヘッド１８により画像を記録する場合等に、記録媒体Ｓの傾き（スキュー）を補正するものであり、図４に示すように、プラテン２１に対してプリンター本体１１のフロント側に、当該プラテン２１に沿って配置されている。整列板２８は、記録媒体Ｓがプラテン２１の手前まで搬送された際に、整列板駆動モーター６４（図５参照）の動作により、搬送経路Ｐ内に突出する。記録媒体Ｓは、整列板２８に当接した状態で、さらに搬送されることにより、この記録媒体Ｓの傾きが補正されて整列される。
【００２４】
また、図４に示すように、第２駆動ローラー２３Ａと第３駆動ローラー１２４Ａとの間には、小切手等のシート型の記録媒体Ｓに印刷されたＭＩＣＲ情報を読み取るためのＭＩＣＲ磁気ヘッド（第２の磁気ヘッド）６５が設けられている。このＭＩＣＲ磁気ヘッド６５は、搬送経路Ｐに露出するようにベースフレーム１６上に固定され、シート型の記録媒体Ｓを搬送する際に、この記録媒体ＳのＭＩＣＲ情報が印刷された領域ＭＡに対向する位置に設けられている。これにより、シート搬送機構１００を用いてシート型の記録媒体Ｓを搬送するだけで、ＭＩＣＲ磁気ヘッド６５上を記録媒体Ｓに設けられた上記領域ＭＡが通過するため、この領域ＭＡに印刷されたＭＩＣＲ情報をＭＩＣＲ磁気ヘッド６５で簡単に読み取ることができる。
また、ＭＩＣＲ磁気ヘッド６５のフロント側、すなわち、ＭＩＣＲ磁気ヘッド６５と第２駆動ローラー２３Ａとの間には、ベースフレーム１６上に、ＭＩＣＲ情報が印刷された磁気インクを着磁させる永久磁石（着磁部）６６が設けられている。この永久磁石６６は、冊子型の記録媒体Ｔの磁気ストライプＭＳに書き込まれた情報が永久磁石６６の磁力の影響を受けないように、当該冊子型の記録媒体Ｔの磁気ストライプＭＳが搬送される領域から外れた位置に配置されている。具体的には、冊子型の記録媒体Ｔをプリンター本体１１内の最も後方まで搬送した場合であっても、永久磁石６６は、当該記録媒体Ｔに設けられた磁気ストライプＭＳの位置よりもさらに後側に配置されている。
通帳等の冊子型の記録媒体Ｔは、ドットインパクトプリンター１０の手差口１５から挿入されると、シート搬送機構１００によって記録ヘッド１８の位置まで搬送され、この記録ヘッド１８により画像を記録した後に、再びシート搬送機構１００によって手差口１５から排出される。通帳等の冊子型の記録媒体Ｔには、記録媒体Ｔの後端側に主走査方向に沿って、磁気ストライプＭＳ（図１）が設けられている。これによれば、記録媒体Ｔの後端が記録ヘッド１８の下方に位置するまで搬送されたとしても、永久磁石６６を冊子型の記録媒体Ｔが有する磁気記録部ＭＳが搬送される領域から外れた位置に設けたため、当該磁気記録部ＭＳが永久磁石６６の上方を通過することが防止される。従って、永久磁石６６と磁気記録部ＭＳとの接触もしくは近接が防止され、この永久磁石６６が磁気記録部ＭＳに書き込まれた磁気情報の破壊を防止でき、記録媒体Ｔの磁気記録部ＭＳに及ぼす影響を防止することができるため、冊子型の記録媒体Ｔが有する磁気記録部ＭＳの読み取りエラーの発生を防止できる。
【００２５】
また、整列板２８の近傍には、記録媒体Ｓの搬送経路における記録媒体Ｓの有無を検出するシート後端センサー４７が設置されている。このシート後端センサー４７は、反射型光センサー、或いは、透過型光センサーで形成され、手差口１５からの記録媒体Ｓの挿入、及び、プリンター本体１１内からの記録媒体Ｓの排出完了を検出する。
また、第３駆動ローラー１２４Ａと第４駆動ローラー１２５Ａとの間には、裏面スキャナー１１２が配置され、この裏面スキャナー１１２と対向する位置には、表面スキャナー１１１が配置されている。これら表面、裏面スキャナー１１１、１１２は、シート型の記録媒体Ｓの表面及び裏面に印刷されている情報を読み取る光学イメージセンサーであり、例えば、蛍光管又はＬＥＤから出力される白色の可視光を記録媒体Ｓの読み取り領域に対して照射する照射部と、主走査方向（Ｘ方向）に一列に配列された複数の受光センサーと、受光センサーからの信号をゲートアレイ４５に所定の順序で出力する出力部と、によって構成される。
【００２６】
図５は、ドットインパクトプリンター１０の機能的構成を示すブロック図である。
ドットインパクトプリンター１０は、制御プログラムに基づいてドットインパクトプリンター１０の全体を制御するＣＰＵ４０と、ＣＰＵ４０により実行される制御プラグラムや処理されるデータ等を記憶したＥＥＰＲＯＭ４２と、ＣＰＵ４０によりＥＥＰＲＯＭ４２から読み出された制御プログラムやデータ等を一時的に記憶するＲＡＭ４１と、ドットインパクトプリンター１０を制御するホスト（コンピューター）２００との間で情報を送受信する際のデータ形式を変換するＩ／Ｆ（Ｉｎｅｔｅｒｆａｃｅ）４３を備えている。
ＣＰＵ４０には、ゲートアレイ（Ｇ／Ａ）４５を介して、記録ヘッド１８、磁気ヘッド３４及びＭＩＣＲ磁気ヘッド６５が接続されている。ゲートアレイ４５は、ＣＰＵ４０の制御に従って記録ヘッド１８に駆動電流を出力して、記録ワイヤーを突出させる。また、ゲートアレイ４５は、ＣＰＵ４０の制御に従って、磁気情報の読み取り時には、磁気ヘッド３４またはＭＩＣＲ磁気ヘッド６５に対して読み取り用電流を出力する一方、磁気ヘッド３４またはＭＩＣＲ磁気ヘッド６５から入力される信号電流をデジタル化してＣＰＵ４０に出力する。
【００２７】
また、ゲートアレイ４５には、シート後端センサー４７、表面スキャナー１１１、及び、裏面スキャナー１１２が接続されている。シート後端センサー４７は、上述したように整列板２８の近傍に設置され、記録媒体Ｓまたは記録媒体Ｔの後端位置を検出するセンサーであり、ゲートアレイ４５から入力される駆動電流により動作して、検出値に相当するアナログ電圧をゲートアレイ４５に出力する。ゲートアレイ４５は、シート後端センサー４７から入力されるアナログ電圧を量子化してデジタルデータとし、ＣＰＵ４０に出力する。
【００２８】
表面スキャナー１１１は、記録媒体Ｓの表面（ＭＩＣＲ情報が印刷されている面の反対側の面）に印刷された情報を読み取りゲートアレイ４５に供給する。裏面スキャナー１１２は、記録媒体Ｓの裏面（ＭＩＣＲ情報が印刷されている面）に印刷された情報を読み取りゲートアレイ４５に供給する。ゲートアレイ４５は、表面スキャナー１１１及び裏面スキャナー１１２から供給されたアナログ電圧を量子化してデジタルデータとしＣＰＵ４０に出力する。
【００２９】
さらに、ゲートアレイ４５には、モータードライバー４８が接続されている。モータードライバー４８は、シート搬送モーター２６、キャリッジ駆動モーター５６及び整列板駆動モーター６４に接続され、これら各モーターに駆動電流や駆動パルスを供給して、これらのモーターを動作させる。
【００３０】
ＣＰＵ４０は、ＥＥＰＲＯＭ４２に格納された制御プログラムに基づいて、ゲートアレイ４５を介して記録ヘッド１８やモータードライバー４８を制御すると共に、シート後端センサー４７の検出結果を取得する。そして、ＣＰＵ４０は、シート搬送モーター２６を駆動して記録媒体Ｓまたは記録媒体Ｔを符号Ｙで示す副走査方向に搬送させ、キャリッジ駆動モーター５６を駆動してキャリッジ１９を符号Ｘで示す主走査方向に走査させ、整列板駆動モーター６４を駆動して整列板２８の搬送経路Ｐ内に突出させる。また、ＣＰＵ４０は、ゲートアレイ４５を制御して、記録ヘッド１８を駆動して記録ワイヤーを突出させ、或いは、磁気ヘッド３４またはＭＩＣＲ磁気ヘッド６５による磁気情報処理を行わせる。
【００３１】
次に、ドットインパクトプリンター１０によるＭＩＣＲ情報の読み取り動作について説明する。図６は、記録媒体Ｓとして小切手が挿入された場合、この小切手のＭＩＣＲ情報を読み取り、当該小切手を排出する動作手順を示すフローチャートである。
小切手等のシート型の記録媒体Ｓが図１に示す手差口１５から挿入されると、この記録媒体Ｓは、第１駆動ローラー２２Ａ及び第１従動ローラー２２Ｂにより挟まれてプラテン２１の手前まで矢印Ａ方向に搬送される。
このとき記録媒体Ｓの搬送方向の傾き（スキュー）を直すべく、記録媒体Ｓの搬送経路Ｐ内に整列板２８が突出し、この整列板２８に記録媒体Ｓが当接した状態で、さらに搬送されることにより、記録媒体Ｓの傾きが補正されて整列される。
ＣＰＵ４０は、整列板２８を搬送経路Ｐから退避させるように整列板駆動モーター６４を駆動させ、記録媒体ＳをＭＩＣＲ情報がＭＩＣＲ磁気ヘッド６５で読み取り可能な位置まで搬送させる（ステップＳ１）。
続いて、ＣＰＵ４０は、記録媒体ＳがＭＩＣＲ情報の読み取り開始位置まで搬送された場合に、ＭＩＣＲ磁気ヘッド６５による当該ＭＩＣＲ情報の読み取りを開始する（ステップＳ２）。具体的には、ＣＰＵ４０は、ゲートアレイ４５を制御して、ＭＩＣＲ磁気ヘッド６５に対して読み取り用電流を出力する一方、ＭＩＣＲ磁気ヘッド６５から出力される信号電流を、ゲートアレイ４５を通じて受け取る。記録媒体ＳがＭＩＣＲ情報の読み取り開始位置まで搬送されたか否かは、ＭＩＣＲ磁気ヘッド６５から送られる信号電流値の変化に基づいて判別される。
【００３２】
続いて、ＣＰＵ４０は、ＭＩＣＲ磁気ヘッド６５でＭＩＣＲ情報の読み取りを実行しながら、シート後端センサー４７により記録媒体Ｓの後端が検出されたか否かを判別する（ステップＳ３）。このように、本構成では、ＭＩＣＲ磁気ヘッド６５でＭＩＣＲ情報の読み取りと、記録媒体Ｓの後端検出とを並行して実行することにより、スループットが向上し、処理時間の短縮を実現することができる。この判別により、後端が検出されない場合（ステップＳ３；Ｎｏ）には、検出されるまで記録媒体Ｓの搬送処理を繰り返し実行し、後端が検出された場合（ステップＳ３；Ｙｅｓ）には、ＣＰＵ４０は、ＭＩＣＲ情報の読取終了位置までの紙送り量（搬送量）を算出する（ステップＳ４）。本実施形態では、第２駆動ローラー２３Ａと第３駆動ローラー１２４Ａとの間に、ＭＩＣＲ磁気ヘッド６５が固定配置されている。このため、ＭＩＣＲ磁気ヘッド６５の位置と、記録媒体Ｓに設けられた領域ＭＡの大きさとが分かれば、これらに基づいて、当該領域ＭＡの後端（すなわち読取終了位置）がＭＩＣＲ磁気ヘッド６５を通過するのに十分な紙送り量を算出することができる。
【００３３】
続いて、ＣＰＵ４０は、シート搬送モーター２６が上記紙送り量に相当するステップ数だけ駆動したか否かを判別する（ステップＳ５）。この判別において、シート搬送モーター２６が上記紙送り量に相当するステップ数だけ駆動していない場合（ステップＳ５；Ｎｏ）には、当該ステップ数に至るまでシート搬送モーター２６の駆動を継続し、当該ステップ数だけ駆動した場合（ステップＳ５；Ｙｅｓ）には、ＣＰＵ４０は、ＭＩＣＲ情報の読み取りに成功したか否かを判別する（ステップＳ６）。
具体的には、ＣＰＵ４０は、ゲートアレイ４５を通じてＭＩＣＲ磁気ヘッド６５から受け取った信号電流が所定の電流パターンを充足している場合に、この信号電流に対応するＭＩＣＲ情報の読み取りに成功できたものとする。ＣＰＵ４０がＭＩＣＲ情報の読み取りに成功しなかった場合（ステップＳ６；Ｎｏ）には、ＣＰＵ４０は、シート搬送モーター２６を逆転方向に駆動させて記録媒体Ｓを手差口１５から排出させる（ステップＳ７）。
一方、ＭＩＣＲ情報の読み取りに成功した場合（ステップＳ６；Ｙｅｓ）には、ＣＰＵ４０は、シート搬送モーター２６を正転方向に駆動させて記録媒体Ｓを排出口８から排出させる（ステップＳ８）ことにより、処理を終了する。なお、ＣＰＵ４０は、ＭＩＣＲ情報の読み取りに成功したか否かに関する情報をＩ／Ｆ４３を通じて、ホスト２００に送信している。
【００３４】
このように、ＭＩＣＲ磁気ヘッド６５によるＭＩＣＲ情報の読み取りに成功した場合には、ＭＩＣＲ情報の読み取りに失敗した場合と異なる排出口からシート型の記録媒体Ｓを排出する。このため、例えば、排出口８から排出された記録媒体Ｓは、いずれもＭＩＣＲ磁気ヘッド６５での読み取りに成功したものであり、この排出口８から排出されたものを集めるだけで、ホスト２００の表示画面を逐一確認することなく、ＭＩＣＲ情報の読み取りに成功したか否かを確実に、かつ、容易に判別することができる。
また、本構成では、図４に示すように、ＭＩＣＲ磁気ヘッド６５は、手差口１５よりも排出口８に近い位置に配置されている。これによれば、ＭＩＣＲ情報の読み取りに成功した場合には、ＭＩＣＲ磁気ヘッド６５から近い側の排出口８から記録媒体Ｓを排出することにより、搬送距離及び搬送時間の短縮を図ることができ、単位時間当たりの処理能力の向上を図ることができる。
また、ＭＩＣＲ磁気ヘッド６５によるＭＩＣＲ情報の読み取りに失敗した記録媒体Ｓは、手差口１５から排出される。本実施形態のドットインパクトプリンター１０は、金融機関の窓口に配置されるものであり、ＭＩＣＲ情報の読み取りを行う場合には、使用者が記録媒体Ｓ（小切手）を直接手差口１５からドットインパクトプリンター１０内に挿入することが多い。このため、ＭＩＣＲ情報の読み取りに失敗した記録媒体Ｓを手差口１５から排出することにより、ＭＩＣＲ情報の読み取りに失敗したことを使用者に容易に把握させることができ、更には、使用者に当該失敗した記録媒体Ｓを容易に再読み込みさせることができる。
【００３５】
以上説明したように、本実施形態によれば、磁気ストライプを有する冊子型の記録媒体と、ＭＩＣＲ情報が記録されたシート型の記録媒体Ｓとを搬送可能に構成され、冊子型の記録媒体及びシート型の記録媒体Ｓに画像を記録するドットインパクトプリンター１０において、冊子型の記録媒体Ｔ及びシート型の記録媒体Ｓの搬送方向に並ぶ複数列の第１駆動ローラー２２Ａ、第２駆動ローラー２３Ａ、第３駆動ローラー１２４Ａ及び第４駆動ローラー１２５Ａを有するシート搬送機構１００と、冊子型の記録媒体Ｔの磁気ストライプＭＳの読み取りを行う磁気ヘッド３４と、第２駆動ローラー２３Ａと第３駆動ローラー１２４Ａとの間に配置され、シート型の記録媒体Ｓに記録されたＭＩＣＲ情報を読み取るＭＩＣＲ磁気ヘッド６５とを備え、シート搬送機構１００は、少なくとも２つの異なる方向に記録媒体Ｓを排出可能であり、ＭＩＣＲ磁気ヘッド６５によるＭＩＣＲ情報の読み取りに成功した場合には、ＭＩＣＲ情報の読み取りに失敗した場合と異なる排出口からシート型の記録媒体Ｓを排出する。このため、例えば、排出口８から排出された記録媒体Ｓは、いずれもＭＩＣＲ磁気ヘッド６５での読み取りに成功したものであり、この排出口８から排出されたものを集めるだけで、ホスト２００の表示画面を逐一確認することなく、ＭＩＣＲ情報の読み取りに成功したか否かを確実に、かつ、容易に判別することができる。
【００３６】
また、本実施形態によれば、シート搬送機構１００は、ＭＩＣＲ磁気ヘッド６５によるＭＩＣＲ情報の読み取りに成功した場合には、ＭＩＣＲ磁気ヘッド６５から近い側の排出口８からシート型の記録媒体Ｓを排出するため、搬送距離及び搬送時間の短縮を図ることができ、単位時間当たりの処理能力の向上を図ることができる。
【００３７】
また、本実施形態によれば、ＭＩＣＲ磁気ヘッド６５によるＭＩＣＲ情報の読み取りに成功した場合には、ＭＩＣＲ情報の読み取りに失敗した場合及び冊子型の記録媒体を排出する場合とは異なる排出方向にシート型の記録媒体Ｓを排出するため、この排出方向にある排出口８から排出されたものを集めるだけで、ホスト２００の表示画面を逐一確認することなく、ＭＩＣＲ情報の読み取りに成功したか否かを確実に、かつ、容易に判別することができる。
【００３８】
また、本実施形態によれば、冊子型の記録媒体Ｔが有する磁気ストライプＭＳが搬送される領域から外れた位置に、ＭＩＣＲ情報を構成する磁気インク文字に着磁する永久磁石６６を設けたため、当該磁気記録部ＭＳが永久磁石６６の上方を通過することが防止される。従って、永久磁石６６と磁気記録部ＭＳとの接触もしくは近接が防止され、この永久磁石６６が磁気記録部ＭＳに書き込まれた磁気情報の破壊を防止でき、記録媒体Ｔの磁気記録部ＭＳに及ぼす影響を防止することができるため、冊子型の記録媒体Ｔが有する磁気記録部ＭＳの読み取りエラーの発生を防止できる。
【００３９】
以上、本発明の一実施形態について説明したが、本発明は、これに限定されるものでない。例えば、本実施形態では、ＭＩＣＲ情報の読み取りに成功した場合には、ドットインパクトプリンター１０の後方に設けられた排出口８から排出し、この読み取りに失敗した場合には、当該プリンター１０の前方に設けられた手差口１５から排出される構成について説明したが、読み取りに成功した場合には、読み取りに失敗した場合と異なる方向に排出すればよく、上記した排出口８と手差口１５とを変更しても良い。また、読み取りに失敗した場合に、手差口１５から記録媒体を排出するのではなく、別個の排出口を設ける構成としても良い。この構成によれば、複数の記録媒体にかかるＭＩＣＲ情報の読み取りを簡単に実行することができる。
また、本発明はドットインパクト式のプリンターに限らず、インクジェット式のプリンターや、感熱媒体を加熱して画像を記録するサーマルプリンターにおいても適用可能である。
【符号の説明】
【００４０】
８…排出口、１０…ドットインパクトプリンター（記録装置）、１１…プリンター本体、１５…手差口、１８…記録ヘッド、１９…キャリッジ、２２Ａ…第１駆動ローラー（搬送ローラー）、２３Ａ…第２駆動ローラー（搬送ローラー）、３４…磁気ヘッド（第１の磁気ヘッド）、４０…ＣＰＵ、４７…シート後端センサー、６５…ＭＩＣＲ磁気ヘッド（第２の磁気ヘッド）、６６…永久磁石（着磁部）、１００…シート搬送機構、１２４Ａ…第３駆動ローラー（搬送ローラー）、１２５Ａ…第４駆動ローラー（搬送ローラー）、２００…ホスト、ＭＡ…領域、Ｓ…記録媒体。
【図１】
2010198416.tif 000003
【図２】
2010198416.tif 000004
【図３】
2010198416.tif 000005
【図４】
2010198416.tif 000006
【図５】
2010198416.tif 000007
【図６】
2010198416.tif 000008